(57)【要約】      （修正有）【課題】ローラの回転が円滑であり、かつ、皮膚への接触状態が良好であると共に磁気による効果も付加したマグネット美容ローラを提供する。【解決手段】マグネット美容ローラ１は、柄本体部２と、柄本体部２に回転自在に保持されるローラ部５とによって構成され、前記柄本体部２が、使用者によって保持される所定の長さの把持部３と、該把持部３から該把持部３の長さ方向に対して第１の角度で傾斜し且つお互いが第２の角度で開くように前記把持部３の一端から延出する一対のローラ保持部４とによって構成され、且つ前記ローラ部５が、磁石によって形成されると共に前記ローラ保持部４のそれぞれに回転自在に保持されることを特徴として構成する。【選択図】図１
0003159255.tif 000002
【実用新案登録請求の範囲】
【請求項１】
柄本体部と、柄本体部に回転自在に保持されるローラ部とによって構成され、
前記柄本体部が、使用者によって保持される所定の長さの把持部と、該把持部から該把持部の長さ方向に対して第１の角度で傾斜し且つお互いが第２の角度で開くように前記把持部の一端から延出する一対のローラ保持部とによって構成され、且つ
前記ローラ部が、磁石によって形成されると共に前記ローラ保持部のそれぞれに回転自在に保持されることを特徴とするマグネット美容ローラ。
【請求項２】
前記ローラ部の側面には、軸方向に所定の間隔で、樹脂リングが配設されることを特徴とする請求項１記載のマグネット美容ローラ。
【請求項３】
前記ローラ部の先端部が、球面突出状に形成されることを特徴とする請求項1又は２記載のマグネット美容ローラ。
【考案の詳細な説明】
【技術分野】
【０００１】
本考案は、磁気を発生するローラによって皮膚、特に顔の皮膚を刺激することによって美容効果を上げることのできるマグネット美容ローラに関する。
【背景技術】
【０００２】
特許文献１（実開平３−１１６８３６号公報）は、先端が丸みを帯びた多数の突起を有する金属性ローラが、棒状の柄の一端に、柄の軸方向にローラの回転軸が整合するように取り付けられた美容ローラを開示する。
【０００３】
特許文献２（実開平８−１５９号公報）は、軸ハンドルの先端に吸磁性部材を介して磁性転動ローラを着脱できるようにした磁気転動式健康美容器具を開示する。
【０００４】
特許文献３（特開２００４−２４２７７０号公報）は、２個の円筒状ローラと、該円筒状ローラを回転自在に支持する支持部材と、前記各ローラを回転させるための駆動機構とを備えるローラ装置において、前記支持部材が、前記各ローラの軸方向が平行となるように各ローラを支持し、前記駆動機構が、各ローラが皮膚に当接した時に、各ローラが皮膚を引っ張る方向に回転させる美容ローラ装置を開示する。
【０００５】
特許文献４（実用新案登録第３１２３６９３号公報）は、所定の長さを有するハンドルと、該ハンドルに設けられたマッサージ用のローラとを備え、前記ハンドルが、少なくとも先端側が二本になるように形成されると共に、その二本の先端部にそれぞれローラが設けられ、さらに、前記ハンドル若しくはローラに、ローラの取り付け角度を変えるための角度変位手段を設けた美容マッサージ器を開示する。
【先行技術文献】
【特許文献】
【０００６】
【特許文献１】実開平３−１１６８３６号公報
【特許文献２】実開平８−１５９号公報
【特許文献３】特開２００４−２４２７７０号公報
【特許文献４】実用新案登録第３１２３６９３号公報
【考案の概要】
【考案が解決しようとする課題】
【０００７】
ローラで皮膚を刺激することは血液の循環を促し、肌に潤いや艶を与えることはすでに公知である。この効果をさらに促進するために、特許文献１では、ローラの周囲に多数の突起を形成し、皮膚への刺激を向上させるようにし、特許文献２では、皮膚刺激と共に、皮膚に磁力を与え、血液の循環を良くし、筋肉を和らげることによって美容的効果を向上させるようにした。さらに、特許文献３では、ローラを自動的に動かすことによって、労力の低減を図ることが提案され、特許文献４では、ローラのフェイス面に当たる角度を調整可能とし、効率よく皮膚を刺激できるものが提案された。
【０００８】
しかしながら、上述したような従来の美容ローラにおいては、ローラの回転状態が良好でなく皮膚への刺激が十分でない、構造が複雑である、皮膚への接触状態が良好でないなどの不具合があった。
【０００９】
このため、本考案は、ローラの回転が円滑であると共に、皮膚への接触状態が良好であると共に磁気による効果も付加したマグネット美容ローラを提供するものである。
【課題を解決するための手段】
【００１０】
以上のことから、本考案に係るマグネット美容ローラは、柄本体部と、柄本体部に回転自在に保持されるローラ部とによって構成され、前記柄本体部が、使用者によって保持される所定の長さの把持部と、該把持部から該把持部の長さ方向に対して第１の角度で傾斜し且つお互いが第２の角度で開くように前記把持部の一端から延出する一対のローラ保持部とによって構成され、且つ前記ローラ部が、磁石によって形成されると共に前記ローラ保持部のそれぞれに回転自在に保持されることを特徴とするものである。
【００１１】
これによって、円筒状のローラ部が、使用者の手によって保持される把持部に対して第１の角度で傾斜し且つ第２の角度が開くことになるため、ローラ部の側面が顔面等の良好に接触することが可能となるものである。尚、第１の角度としては、２０°〜６０°の範囲内であることが望ましく、特に４０°であることが望ましい。また、第２の角度としては、１００°〜１４０°の範囲内であることが望ましく、特に１２０°であることが望ましい。
【００１２】
また、前記ローラ部は、磁石、特にフェライトインジェクション磁石からなる円筒状のもので、その先端部は、球面突出状に形成されることを特徴とする。さらに、前記ローラ部の側面には、軸方向に所定の間隔で、樹脂リングが配設されるものである。尚、樹脂リングとしては、フッ素樹脂リング、テフロン（登録商標）（ＰＴＦＥ）リング等があるが、シリコンリングが望ましい。また、天然ゴム等の天然由来の樹脂からなるリングであっても良いものである。
【００１３】
これによって、ローラ部の先端が球面突出状に形成されることから、ローラ部端部で顔面等の皮膚を刺激することも可能となるものである。また、ローラ部がフェライトインジェクション磁石によって形成されているので、磁気による血行促進効果を得ることができるものである。さらにまた、ローラ部側面に樹脂リングを配設したことによって、ローラ部と皮膚との摩擦抵抗を向上させることができるため、ローラ部を確実に回転させることが可能となるものである。また、ローラ部の側面と樹脂リングによって、皮膚との接触面に凹凸が形成されることから、皮膚への刺激を向上させることもできるものである。
【００１４】
さらに、前記ローラ部には、前記ローラ保持部が挿着される挿着孔が形成され、前記ローラ保持部との間にベアリングが設けられて、前記ローラ部が回転自在となるものである。このベアリングとしては、玉軸受、コロ軸受等の転がり軸受、又は、プラスチック軸受、球面滑り軸受、焼結含油軸受等の滑り軸受が望ましい。
【００１５】
さらに、前記ローラ部には、表面処理、特にアルミ蒸着等の表面処理が施されることが望ましい。
【考案の効果】
【００１６】
本考案によれば、使用者によって保持される柄本体部に対して、ローラ部が第1の角度で手前側に傾斜し且つ第2の角度が開いていることから、顔面の皮膚に効率的に接触すると共に、樹脂リングが肌に密着するため、ローラ部を皮膚に沿って円滑に移動させることができると共にローラ部表面が凹凸となるため、効率的に皮膚に刺激を与えることができ、美容効果を向上させることができるものである。さらに、ローラ部が磁石によって形成されていることから、磁力による血流の改善も期待できるものである。
【図面の簡単な説明】
【００１７】
【図１】本考案に係るマグネット美容ローラの全体斜視図である。
【図２】本考案に係るマグネット美容ローラの柄本体部の正面図である。
【図３】本考案に係るマグネット美容ローラの柄本体部の側面図である。
【図４】本考案に係るマグネット美容ローラのローラ部の断面図である。
【考案を実施するための形態】
【００１８】
本考案に係るマグネット美容ローラは、柄本体部と、柄本体部に回転自在に保持されるローラ部とによって構成され、前記柄本体部が、使用者によって保持される所定の長さの把持部と、該把持部から該把持部の長さ方向に対して第１の角度で傾斜し且つお互いが第２の角度で開くように前記把持部の一端から延出する一対のローラ保持部とによって構成され、且つ前記ローラ部が、磁石によって形成されると共に前記ローラ保持部のそれぞれにベアリング等の回転保持手段によって回転自在に保持されるものであり、前記ローラ部の側面に、軸方向に所定の間隔で、樹脂リングが配設されるものであり、且つ前記ローラ部の先端部が、球面突出状に形成されるものである。
【実施例】
【００１９】
以下、本考案の実施例について、具体的に説明する。本考案に係るマグネット美容ローラ１は、図１に示すように、柄本体部２と、ローラ部５とによって構成される。
【００２０】
前記柄本体部２は、本実施例では亜鉛合金によって成形され、図２及び図３に示されるように、使用者によって保持される把持部３と、この把持部３から一方の側に角度αで、例えば手前側に傾斜すると共に、角度βで両側に広がるように延出するローラ保持部４とによって構成され、さらにローラ保持部４は、前記把持部３から分かれて延出する大径部４ａと、その先端に一体に形成された小径部４ｂとによって構成される。この小径部４ｂには、下記するベアリング８が固着される。また、前記把持部３は、一端側の前記ローラ保持部４の分岐部分から他端側に向けて漸次大きくなるように形成され、持ちやすさを向上させるものである。さらに、把持部３の断面は、この実施例では長円形状に形成されるものであるが、円形であっても良いものである。
【００２１】
また、前記角度αは、２０°〜６０°の範囲内であることが望ましく、特に本実施例では４０°である。さらにまた、前記角度βは、１００°〜１４０°の範囲内であることが望ましく、特に本実施例では１２０°である。尚、前記把持部３の他方側の端部近傍に、ひも等を通すための孔７を形成しても良いものである。
【００２２】
前記ローラ部５は、図４に示すように、フェライトインジェクション磁石から円筒状に形成され、一端に球面状に突出する先端部５１を一体に具備するローラ本体部５０と、このローラ本体部５０の側面５２に装着された複数の樹脂リング６とによって構成される。この樹脂リング６は、シリコンリングであり、前記側面５２の軸方向に所定の間隔で形成された環状溝５５に装着されるものである。
【００２３】
また、前記ローラ部５のローラ本体部５０には、軸方向に形成された小径孔５３と大径孔５４とが連設され、小径孔５３には前記ローラ保持部４の小径部４ｂが挿通され、大径孔５４には前記小径部４ｂに固着されたベアリング８が挿入され、前記大径孔５４の内周面に固定される。これによって、前記ローラ部５は、前記ローラ保持部４に対して回転自在に保持されるものである。
【００２４】
以上に説明した構造によって、本考案に係るマグネット美容ローラ１は、把持部３を持ち、ローラ部５を顔などの皮膚に当てて移動させることによって、ローラ部５の凹凸及び磁気によって使用者の皮膚を刺激することができるものである。
【符号の説明】
【００２５】
１  マグネット美容ローラ
２  柄本体部
３  把持部
４  ローラ保持部
５  ローラ部
６  樹脂リング
７  孔
８  ベアリング
５０  ローラ本体部
５１  先端部
５２  側面
５３  小径孔
５４  大径孔
５５  環状溝
【図１】
0003159255.tif 000003
【図２】
0003159255.tif 000004
【図３】
0003159255.tif 000005
【図４】
0003159255.tif 000006